(57)【要約】【課題】  ファンヒータなどの室内暖房機は、天井方向のみ高温になり、人が居る床近くは温度がなかなか上がらないという問題があった。対策の例として、従来、扇風機のようなエアサーキュレータで、部屋の空気を攪拌し温度を平準化する試みがなされているが、設置場所が増えることや、駆動するエネルギーが余計に必要で経費が嵩むという難点があった。暖房機のみで部屋の空気も攪拌できる機器を提供する。【解決手段】  ファンヒータの吸気口は一般に床に近い所にあるので、空気吸引ダクトをファンヒータなどの背面に設置することで、天井方向の空気を吸い込ませ、部屋の上下方向に空気の循環流を起こすことができる。【選択図】図１
2009047398.tif 000002
【特許請求の範囲】
【請求項１】
機器内に加熱源と送風機があるファンヒータなどの暖房機器において、暖房機の吸気口６に向けて室内上方の空気を導く、ダクトを設けたことを特徴とする、室内の場所による温度差を少なくする方法。
【請求項２】
機器内に加熱源と送風機があるファンヒータなどの暖房機器において、室内上方の空気を吸引する方向のダクトの吸気口８と、この空気を暖房機器の吸気口６に向けて吐出する空気排出口９を有する空気吸引ダクト。
【発明の詳細な説明】
【技術分野】
【０００１】  本発明は燃焼空気を室内で循環させる方式の暖房機等に於けるダクトに関するものである。
【背景技術】
【０００２】  最近では、各家庭にファンヒ−タ−等の暖房器具が数多く普及しており、この暖房器具等により、室内の暖房を行うようにして寒いときでも快適に過ごせるようになっている。そして、このような暖房器具等の多くは、暖房器具等に設けられた温度設定手段により温度を設定すると、この設定温度になるように運転されている。
また室内温度の偏りを少なくするために、サーキュレータを用いて、空気を流動させることが行われている。
【特許文献１】特開平５−２８０４９０
【発明の開示】
【発明が解決しようとする課題】
【０００３】  ここで、冬場、エアコンやファンヒ−タ−等で室内を暖房すると、部屋の上部に暖かい空気、下部に冷たい空気という様に、温度ムラが生じる。【０００４】  そこで、部屋全体を暖めようとして、設定温度を上げて暖房すると上部が暑くなりすぎて暖房費の無駄となる。【０００５】  また、一般に暖房器具等は内蔵された温度センサからの温度情報により、例えば、暖房時室温が設定温度よりも上がったと判断した場合は発熱量を絞るか、または一時停止し、また設定温度より下がったと判断した場合は作動を再開するようにして、室内を一定の温度になるよう制御している。【０００６】  しかし、暖房器具に取り付けているセンサ基準にて暖房を行うと、暖気は上方に溜るため、温度センサが検知する室温は室内下方の低い温度となり、人に快適な室温を設定しようとすると、部屋の上方は高温でエネルギーが無駄になるという不具合が起きる。【０００７】  反対にセンサを部屋の上方に付けて設定温度を人に適温にすると、下方は暖房不足を感じるので、設定温度を上げることになり、前述と同じ不具合を生じる。
このような暖房時の温度ムラを軽減するために、扇風機を用いてサーキュレーションを行うことが有効となるが、扇風機を設置する場所と、動かすエネルギーが余分に必要となる。【０００８】  よって、本発明は暖房のエネルギー以外のエネルギーを使うことなく、部屋の温度を均一にする方法および機器を提供することを目的とする。
【課題を解決するための手段】
【０００９】  本発明は、同一室内に空気の吸気口と排出口を有するファンヒータなどの暖房機器において、ファンヒータなどの吸気口の天井方向から、空気の流れを導入するダクトを設けたものである。
【発明の効果】
【００１０】  本発明によれば、吸気口に設けたダクトから、天井方向のより高温の空気を吸引して室内空気の循環を行うようにしたから、空気循環のための新たなエネルギーを使うことなく、速やかに適温にすることができ、温度ムラをスピーディーに解消できると共に、暖房費の無駄を抑え、省エネとなる。
また、従来ファンヒータは、床付近の空気を吸引するためファンヒータ前方の低い位置からも低温の空気が回り込み、近くに立つと、冷風が身体に当るという欠点があった。本発明では、この不具合も解消される。
【実施例】
【００１１】  以下、本発明の実施例を図面に基づいて説明する。
（実施例１）
図１において、１はファンヒータ等の暖房機であり、空気の吸気口６と暖気排出口７を有している。この暖房機の吸気口に空気吸引ダクト２１を設け、部屋の上部の空気が流れるようにすることで、室内の空気温度の偏りは自動的に解消する方向に向かう。
空気吸引ダクト２１は排気口９が、市販のファンヒータの吸気口６に概ね重なるように置く。密閉度を上げるために、両者の間にシール材３や接合材４を挟んでもよい。シール材３として、スポンジ状の隙間テープやゴムなど、また接合材４は、例えば面ファスナーや板状の磁石、吸盤、接着剤、両面粘着テープ、ボルトなどの締結材がある。【００１２】  空気吸引ダクト２１は、上端と、ファンヒータの吸気口のみ開口して、他部分は金属やプラスチック、布、紙などの薄膜で遮蔽されている。下端は、床に接する場合は開口していてもよい。遮蔽面はメッシュの粗い材料でもかなり空気を遮断するので、軽量なものが望ましい。軽量化の例として、針金やプラスチックの固体材料でフレーム２１ｃを構成し、遮蔽面を三分割の例で示すと、伸縮性のある材料２１ａ、２１ｂをフレームにはめ込む。伸縮性のある材料の例としては、ジャージやゴム入りの網などがある。材料２１ａはファンヒータの空気吸入口の近傍部分が開口している。この場合、はめ込む時に開口部に、アンバランスが生じるようであれば、空気の流通抵抗の小さい材料、例えば通気性のある網目シートで開口部を塞ぐことも可能である。面ファスナなどで固定することもできる。【００１３】  空気吸引ダクト２１の、ファンヒータの吸気口６近傍部分の対応開口大きさは、概ねファンヒータの吸気口６の大きさ、あるいは少し大き目でよいので、市販のファンヒータの機種による寸法にある程度大小があっても、一種類の空気吸引ダクトで柔軟に対応できる。
固体材料のフレーム２１ｃは伸縮可能な機構を持たせてもよい。遮蔽材料２１ａ、２１ｂに伸縮性の材料を用いれば、上方、下方とも長さを変えることができる。本例は三分割の例であるが、分割数を増減してもよい。
ファンヒータの吸気口６と空気吸引ダクトの排気口９の高さ方向の位置に大幅な差異が生じる可能性がある場合は、遮蔽材料２１ａの高さ方向寸法を長めに準備しておき、両者の高さ位置を合わせてから上下に余った遮蔽材料を折り返しておく。【００１４】  （実施例２）
図２は、空気吸引ダクト２２をファンヒータ１の側面部に取り付ける場合の実施例である。図２では、ファンヒータの吸気口６およびファンヒータの暖気排出口７は省略されている。【００１５】  （実施例３）
図３は、図２と同様にファンヒータ側面部に取り付ける場合、市販のファンヒータの取り付け部寸法が多少異なっていても対応できるように、空気吸引ダクト２２の取り付け幅を調整できるようにしたものである。即ち、結合部５は空気吸引ダクトの一部２３ａと、同じく２３ｂが若干重なり合うように接着テープなどで結合されている。あるいは「エ」の形をした結合部材に二つのダクト端部を差し込んで結合してもよい。
また図３は上面のほかに、ファンヒータの吸気口に接する部分、および底面が開口している例であるが、これは他の実施例に対しても適用可能である。【００１６】  （実施例４）
図４は円柱型の空気吸引ダクト２４を示す。本例は紙や布などの、ある程度剛性があって、またハサミなどで切断可能な平面材を丸く曲げ、また切断して、ファンヒータの寸法に合わせて隙間無く取り付けている。ダクトの底面は開口していても、床上に置けば機能上差し支えない。【００１７】  図示しないが、既述の例の何れも、底面の材料を別途手配して底面を密閉し、床より浮かして設置してもよい。また、安全用に公知のストーブガードと組合すことも可能である。
更に、空気吸引ダクトをファンヒータ本体と一体に組み込むこともできる。
【図面の簡単な説明】
【００１８】
【図１】実施例１の構造および作用を示す斜視図である。
【図２】実施例２の構造を示す斜視図である。
【図３】実施例３の構造を示す斜視図である。
【図４】実施例４の構造を示す斜視図である。
【符号の説明】
１  ファンヒータ
２１    空気吸引ダクト
２１ａ  ファンヒータの吸気口６に当る部分を開口している、空気吸引ダクトの周囲を遮蔽する材料
２１ｂ  空気吸引ダクトの周囲を遮蔽する材料
２１ｃ  空気吸引ダクトのフレーム
２２    空気吸引ダクト
２３ａ  空気吸引ダクトの一部
２３ｂ  空気吸引ダクトの一部
２４    空気吸引ダクト
３  シール材
４  接合材
５  結合部
６  ファンヒータの吸気口
７  ファンヒータの暖気排出口
８  空気吸引ダクトの吸気口
９  空気吸引ダクトの排気口
【図１】
2009047398.tif 000003
【図２】
2009047398.tif 000004
【図３】
2009047398.tif 000005
【図４】
2009047398.tif 000006